(57)【要約】  【課題】  映像信号の伝送経路の異常の原因を把握することができる異常検出装置を提供する。  【解決手段】  映像信号を取得する映像受信機３と、映像受信機３によって取得された映像信号を表示装置５に表示させる映像信号処理装置４とを備えた映像システム１において、映像受信機３は、映像信号処理装置４に映像信号を送信する伝送経路から得られる直流信号レベルに基づいて、伝送経路が正常状態、開放状態、天絡状態および地絡状態のうち何れの状態にあるかを判断する。【選択図】  図２
2006324997.tif 000002
【特許請求の範囲】
【請求項１】
映像信号を取得する映像信号取得装置と、
前記映像信号取得装置によって取得された映像信号を表示装置に表示させる映像信号処理装置とを備えた映像システムにおいて、
前記映像信号取得装置は、前記映像信号処理装置に前記映像信号を送信する伝送経路から得られる直流信号レベルに基づいて、前記伝送経路が正常状態、開放状態、天絡状態および地絡状態のうち何れの状態にあるかを判断する経路状態判断手段を有することを特徴とする映像システム。
【請求項２】
前記映像信号処理装置は、前記映像信号を受信する状態にあるか否かに応じて入力インピーダンスを変化させ、
前記経路状態判断手段は、前記入力インピーダンスに基づいて前記映像信号処理装置が前記映像信号を受信する状態にあるか否かを判断することを特徴とする請求項１に記載の映像システム。
【請求項３】
前記映像信号処理装置は、前記入力インピーダンスを２つの抵抗を以って変化させ、
前記伝送経路における電圧値が予め定められた閾値以上になった場合に、前記２つの抵抗を前記伝送経路から電気的に切り離すことを特徴とする請求項２に記載の映像システム。
【請求項４】
前記映像信号取得装置は、前記伝送経路をプルアップするプルアップ回路を有し、
前記経路状態判断手段は、前記伝送経路における電圧値が前記プルアップ回路によってプルアップされる電圧値を含む一定の範囲内にある場合に、前記伝送経路が開放状態にあると判断することを特徴とする請求項１に記載の映像システム。
【請求項５】
前記映像信号取得装置は、前記プルアップ回路と前記伝送経路との間の電気的な接続を接続状態および非接続状態の何れか一方の状態から他方の状態に切り替えるプルアップ切替手段を有することを特徴とする請求項４に記載の映像システム。
【請求項６】
前記映像信号取得装置は、カソードが前記伝送経路側に接続されアノードがグランドに接続されたツェナーダイオードを有し、
前記経路状態判断手段は、前記ツェナーダイオードのカソードにおける電圧値が前記ツェナーダイオードのツェナー電圧値を含む一定の範囲内にある場合に、前記伝送経路が天絡状態にあると判断することを特徴とする請求項１に記載の映像システム。
【請求項７】
前記経路状態判断手段は、前記映像信号の電圧値がグランドレベルを含む一定の範囲内にある場合に、前記伝送経路が地絡状態にあると判断することを特徴とする請求項１に記載の映像システム。
【請求項８】
送信された映像信号を表示装置に表示させる映像信号処理装置において、前記映像信号を受信する状態にあるか否かに応じて入力インピーダンスを変化させることを特徴とする映像信号処理装置。
【請求項９】
映像信号を取得する映像信号取得装置と、
映像信号を映像出力する表示装置と、
前記映像信号取得装置によって取得された映像信号を前記表示装置に映像出力させる映像信号処理装置とを備えた映像システムにおいて、
前記映像信号取得装置は、前記映像信号処理装置に前記映像信号を送信する伝送経路から得られる直流信号レベルに基づいて、前記伝送経路が正常状態、開放状態、天絡状態および地絡状態のうち何れの状態にあるかを判断する経路状態判断手段を有することを特徴とする映像システム。
【発明の詳細な説明】
【技術分野】
【０００１】
本発明は、取得した映像信号を表示装置に表示させる映像システムに関するものである。
【背景技術】
【０００２】
従来、取得した映像信号を表示装置に表示させる映像システムとしては、映像信号を表す所定ビット数のパラレル信号によって表される論理値が暗時出力値以下に設定された判定値を一定時間下回っているとき故障と判定することによって、回路構成を増大させることなくパラレル信号の入力経路のうち少なくとも一本が断線またはショートしてもこれを故障と診断できるようにしたものがある（例えば、特許文献１参照）。
【特許文献１】特開平８−１９００７号公報
【発明の開示】
【発明が解決しようとする課題】
【０００３】
しかしながら、従来の映像システムは、映像信号の伝送経路の断線やショートを故障として診断できるものの、映像信号の伝送経路の異常の原因が把握できないといった問題があった。
【０００４】
本発明は、従来の問題を解決するためになされたもので、映像信号の伝送経路の異常の原因を把握することができる映像システムを提供することを目的とする。
【課題を解決するための手段】
【０００５】
本発明の映像システムは、映像信号を取得する映像信号取得装置と、前記映像信号取得装置によって取得された映像信号を表示装置に表示させる映像信号処理装置とを備えた映像システムにおいて、前記映像信号取得装置は、前記映像信号処理装置に前記映像信号を送信する伝送経路から得られる直流信号レベルに基づいて、前記伝送経路が正常状態、開放状態、天絡状態および地絡状態のうち何れの状態にあるかを判断する経路状態判断手段を有する。
【０００６】
この構成により、本発明の映像システムは、映像信号の伝送経路から得られる直流信号レベルに基づいて、映像信号の伝送経路が正常状態、開放状態、天絡状態および地絡状態のうち何れの状態にあるかを映像信号取得装置が判断するため、映像信号の伝送経路の異常の原因を把握することができる。
【０００７】
なお、前記映像信号処理装置は、前記映像信号を受信する状態にあるか否かに応じて入力インピーダンスを変化させ、前記経路状態判断手段は、前記入力インピーダンスに基づいて前記映像信号処理装置が前記映像信号を受信する状態にあるか否かを判断するようにしてもよい。
【０００８】
この構成により、本発明の映像システムは、映像信号の伝送経路が正常状態である場合に、映像信号処理装置が正常に動作しているか否かを判断することができる。
【０００９】
また、前記映像信号処理装置は、前記入力インピーダンスを２つの抵抗を以って変化させ、前記伝送経路における電圧値が予め定められた閾値以上になった場合に、前記２つの抵抗を前記伝送経路から電気的に切り離すようにしてもよい。
【００１０】
この構成により、本発明の映像システムは、映像信号処理装置が有する２つの抵抗が高電圧によって破壊されることを防止することができる。
【００１１】
また、前記映像信号取得装置は、前記伝送経路をプルアップするプルアップ回路を有し、前記経路状態判断手段は、前記伝送経路における電圧値が前記プルアップ回路によってプルアップされる電圧値を含む一定の範囲内にある場合に、前記伝送経路が開放状態にあると判断するようにしてもよい。
【００１２】
また、前記映像信号取得装置は、前記プルアップ回路と前記伝送経路との間の電気的な接続を接続状態および非接続状態の何れか一方の状態から他方の状態に切り替えるプルアップ切替手段を有するようにしてもよい。
【００１３】
この構成により、本発明の映像システムは、映像信号を伝送する際に伝送経路とプルアップ回路とを非接続状態にすることによって、プルアップ回路による映像信号の減衰を防止することができる。
【００１４】
また、前記映像信号取得装置は、カソードが前記伝送経路側に接続されアノードがグランドに接続されたツェナーダイオードを有し、前記経路状態判断手段は、前記ツェナーダイオードのカソードにおける電圧値が前記ツェナーダイオードのツェナー電圧値を含む一定の範囲内にある場合に、前記伝送経路が天絡状態にあると判断するようにしてもよい。
【００１５】
また、前記経路状態判断手段は、前記映像信号の電圧値がグランドレベルを含む一定の範囲内にある場合に、前記伝送経路が地絡状態にあると判断するようにしてもよい。
【００１６】
また、本発明の映像信号処理装置は、送信された映像信号を表示装置に表示させる映像信号処理装置において、前記映像信号を受信する状態にあるか否かに応じて入力インピーダンスを変化させるように構成されている。
【００１７】
この構成により、本発明の映像信号処理装置は、映像信号の伝送経路が正常状態である場合に、映像信号処理装置が正常に動作しているか否かを映像信号の送信側に判断させることができる。
【発明の効果】
【００１８】
本発明は、映像信号の伝送経路の異常の原因を把握することができるといった効果を有する異常検出装置を提供することができる。
【発明を実施するための最良の形態】
【００１９】
以下、本発明の実施の形態について、図面を参照して説明する。なお、本実施の形態においては、本発明に係る映像信号取得装置を車両に設けられた映像受信機によって構成した映像システムを例に説明する。なお、本発明の映像信号取得装置は、映像受信機の他に、カメラ、ナビゲーション装置およびＤＶＤ（Digital Versatile Disc）プレーヤ等によって構成することもできる。
【００２０】
本発明の一実施の形態の映像システムを図１に示す。
【００２１】
映像システム１は、車両後方を撮影するカメラ２と、テレビ放送受信機よりなる映像受信機３と、カメラ２および映像受信機３によって受信された映像信号を処理する映像信号処理装置４と、映像信号処理装置４によって処理された映像信号を映像出力する表示装置５とを備えている。
【００２２】
カメラ２は、映像を取り込むためのレンズおよびＣＣＤ（Charged Coupled Device）センサを有し、ＣＣＤセンサの検知信号から映像信号を生成するようになっている。ここで、映像信号は、コンポジット信号、ＲＧＢ信号、ＹＵＶ信号、またはその他のフォーマットのものでもよい。
【００２３】
表示装置５は、ブラウン管や液晶ディスプレイ等の表示部を有し、映像信号を表示部に映像出力するようになっている。
【００２４】
映像信号処理装置４は、ＣＰＵ（Central Processing Unit）１０と、カメラ２から入力された映像信号をバッファリングする第１の映像信号バッファ１２と、カメラ２から入力された映像信号から同期信号を分離する同期分離回路１３と、画像処理を行う画像処理装置１４と、映像受信機３から送信された映像信号の伝送経路における入力インピーダンスの整合をとる整合回路１１と、映像受信機３から送信された映像信号をバッファリングする第２の映像信号バッファ１５と、画像処理装置１４によって画像処理された映像信号と映像受信機３から送信された映像信号とから１つの映像信号を選択する映像選択スイッチ１６と、映像選択スイッチ１６によって選択された映像信号を増幅するビデオアンプ１７と、ＤＲＡＭ（Dynamic Random Access Memory）１８と、フラッシュメモリ１９と、故障診断結果を記憶するためのダイアグメモリ２０と、映像信号処理装置４の各部およびカメラ２に電力を供給する図示しない電力供給部とを備えている。
【００２５】
なお、以下の説明において、映像受信機３と映像信号処理装置４との間の映像信号の伝送経路が正常に接続されている状態を「正常状態」といい、映像信号の伝送経路が映像受信機３または映像信号処理装置４から切り離されている状態を「開放状態」といい、映像信号の伝送経路に電源電圧が印加されている状態を「天絡状態」といい、映像信号の伝送経路がグランドに短絡している状態を「地絡状態」という。
【００２６】
ＣＰＵ１０は、図示しないＲＯＭ（Read Only Memory）等の記憶媒体に記憶されたプログラムをＤＲＡＭ１８に読み込み、ＤＲＡＭ１８に読み込まれたプログラムを実行することによって画像処理装置１４、映像選択スイッチ１６および電力供給部等の各部の動作を制御するようになっている。
【００２７】
第１の映像信号バッファ１２は、カメラ２から入力された映像信号をバッファリングすると共に、ペデスタル（輝度の基準値）を固定するようになっている。
【００２８】
同期分離回路１３は、第１の映像信号バッファ１２にバッファリングされた映像信号から同期信号を取り出すようになっている。なお、ＣＰＵ１０は、同期分離回路１３によって取り出された同期信号の周期を監視し、同期信号の周期が規定の周期と異なる場合には、映像信号が異常であると判断するようになっている。
【００２９】
画像処理装置１４は、画像処理プロセッサ等のディジタル信号処理装置によって構成され、ＣＰＵ１０による制御に基づいて、第１の映像信号バッファ１２にバッファリングされた映像信号に俯瞰処理やガイドラインの描画処理等を施すようになっている。
【００３０】
ここで、俯瞰処理は、バンパー等の車両に近い位置の湾曲した部分の映像に直線処理を施す等して、カメラ２の位置よりも上方から撮影された擬似映像を作成する処理のことをいう。また、ガイドラインの描画処理は、映像に車両の進行方向や車両からの距離を示す情報を重ね書きする処理のことをいう。
【００３１】
第２の映像信号バッファ１５は、映像受信機３から送信された映像信号をバッファリングすると共に、ペデスタルを固定するようになっている。
【００３２】
映像選択スイッチ１６は、ＣＰＵ１０による制御に基づいて、画像処理装置１４によって画像処理された映像信号と映像受信機３から送信された映像信号とから１つの映像信号を選択するようになっている。
【００３３】
ビデオアンプ１７は、映像選択スイッチ１６によって選択された映像信号を増幅することにより、映像信号の信号レベルを表示装置５側で規定された信号レベルに調整するようになっている。
【００３４】
ＤＲＡＭ１８には、ＣＰＵ１０に実行させるプログラムに加えて、このプログラムを実行するＣＰＵ１０や画像処理装置１４によって演算処理時に利用されるデータが一時記憶される。また、フラッシュメモリ１９には、画像処理装置１４によって使用されるパラメータ等が記憶される。
【００３５】
ダイアグメモリ２０は、ＥＥＰＲＯＭ（Electrically Erasable Programmable Read-only Memory）等の不揮発の記憶媒体によって構成され、ダイアグメモリ２０には、同期分離回路１３等によって検出された異常の状態や検出時間等の履歴がＣＰＵ１０によって記憶される。
【００３６】
なお、ＣＰＵ１０は、外部の機器と通信する図示しないインターフェイス回路や着脱可能な記憶媒体に、ダイアグメモリ２０に記憶された情報を送信するようになっている。
【００３７】
電力供給部は、ＣＰＵ１０による制御に基づいて、車両の電源から供給された電力の電圧を降圧するなどして調整し、電圧を調整した電力を映像信号処理装置４の各部やカメラ２に供給するようになっている。また、電力供給部は、ＣＰＵ１０やカメラ２のラッチアップを防ぐため、ＣＰＵ１０を作動させない時には、ＣＰＵ１０やカメラ２に供給する電力を遮断するようになっている。
【００３８】
図２は、映像受信機３および映像信号処理装置４の整合回路１１のブロック図である。
【００３９】
映像受信機３は、アンテナを介して受信された映像信号を復調するなどして映像信号を取得する映像信号取得部３０と、ＣＰＵ３１と、スイッチＳ１と、コンデンサＣ１と、抵抗Ｒ１、Ｒ２と、ダイオードＤ１と、ツェナーダイオードＺＤとを有している。
【００４０】
ＣＰＵ３１は、図示しないＲＯＭ等の記憶媒体に記憶されたプログラムを図示しないＲＡＭに読み込み、ＲＡＭに読み込まれたプログラムを実行することによって映像信号取得部３０等の各部の動作を制御するようになっている。
【００４１】
また、ＣＰＵ３１は、本発明における経路状態判断手段を構成し、映像信号処理装置４の入力インピーダンスに出力インピーダンスを整合するための抵抗Ｒ１を介して伝送経路に接続されている。
【００４２】
コンデンサＣ１は、映像信号取得部３０によって取得された映像信号の直流成分を分離するため、一端が映像信号取得部３０に接続され、他端が抵抗Ｒ１を介して伝送経路に接続されている。
【００４３】
ツェナーダイオードＺＤは、アノードがグランドに接続され、カソードが抵抗Ｒ１を介して伝送経路に接続されている。ここで、ツェナーダイオードＺＤは、伝送経路が天絡状態にある場合に、ＣＰＵ３１がラッチアップすることを防止するよう、ＣＰＵ３１に入力される信号の電圧値をツェナーダイオードＺＤのツェナー電圧値以下に抑制するようになっている。
【００４４】
抵抗Ｒ２の一端は、アノードに直流電圧ＶＣＣが印加されたダイオードＤ１のカソードに接続され、抵抗Ｒ２の他端は、伝送経路に一端が接続されたスイッチＳ１の他端に接続され、抵抗Ｒ２は、ダイオードＤ１と一体にプルアップ回路を構成している。
【００４５】
ここで、スイッチＳ１は、ＣＰＵ３１と一体に本発明におけるプルアップ切替手段を構成し、ＣＰＵ３１による制御に応じてプルアップ回路と伝送経路との間の電気的な接続を接続状態および非接続状態の何れか一方の状態から他方の状態に切り替えるようになっている。例えば、ＣＰＵ３１は、伝送経路の異常の検出を行わずに映像信号を伝送する際に、スイッチＳ１をオフすることによって、プルアップ回路による映像信号の減衰を防止することができる。
【００４６】
映像信号処理装置４の整合回路１１は、抵抗Ｒ１１乃至Ｒ１５と、ＡＮＤ（論理積）回路４０、４１と、トランジスタＴ１、Ｔ２と、スイッチＳ１１、Ｓ１２とを有している。
【００４７】
抵抗Ｒ１１および抵抗Ｒ１２は、相互に異なる抵抗値が設定され、一端が映像信号の伝送経路に接続され、他端がスイッチＳ１１およびスイッチＳ１２の一端にそれぞれ接続されている。スイッチＳ１１およびスイッチＳ１２の他端は、グランドに接続されている。
【００４８】
トランジスタＴ１は、エミッタがグランドに接続され、ベースがＣＰＵ１０およびＡＮＤ回路４１の第１入力端子に接続され、コレクタがＡＮＤ回路４０の第１入力端子に接続され、ＣＰＵ１０によって出力された信号を排他的にＡＮＤ回路４０およびＡＮＤ回路４１の各第１入力端子に入力するようになっている。
【００４９】
すなわち、トランジスタＴ１は、ＣＰＵ１０によってＡＮＤ回路４１の第１入力端子が、例えば２．１Ｖ以上のハイレベル（以下単に「Ｈ」と記載する。）になった場合には、ＡＮＤ回路４０の第１入力端子を、例えば０．７Ｖ以下のローレベル（以下単に「Ｌ」と記載する。）にし、ＣＰＵ１０によってＡＮＤ回路４１の第１入力端子がＬになった場合には、ＡＮＤ回路４０の第１入力端子をＨにするようになっている。
【００５０】
抵抗Ｒ１３および抵抗Ｒ１４は、直列に接続され、抵抗Ｒ１３の一端が伝送経路に接続され、抵抗Ｒ１４の一端がグランドに接続され、伝送経路の電圧を分圧するようになっている。
【００５１】
トランジスタＴ２は、エミッタがグランドに接続され、ベースが抵抗Ｒ１３と抵抗Ｒ１４との間に接続され、コレクタがＡＮＤ回路４０およびＡＮＤ回路４１の各第２入力端子並びに一端に直流電圧が印加された抵抗Ｒ１５の他端に接続され、伝送経路の電圧が予め定められた閾値以上になった場合に、ＡＮＤ回路４０およびＡＮＤ回路４１の各第２入力端子をＬにするようになっている。
【００５２】
ここで、抵抗Ｒ１３、抵抗Ｒ１４およびトランジスタＴ２は、抵抗Ｒ１１および抵抗Ｒ１２の保護回路を構成し、抵抗Ｒ１１または抵抗Ｒ１２にかかる電圧の値が閾値以上になったときに、トランジスタＴ２がオンすることにより、スイッチＳ１１およびスイッチＳ１２をオフし、抵抗Ｒ１１および抵抗Ｒ１２を伝送経路から電気的に切り離すようになっている。
【００５３】
このため、閾値は、抵抗Ｒ１１および抵抗Ｒ１２の耐電圧値に応じて定められ、閾値に応じて抵抗Ｒ１３および抵抗Ｒ１４の抵抗値が定められる。
【００５４】
ＡＮＤ回路４０およびＡＮＤ回路４１の各出力端子は、スイッチＳ１１およびスイッチＳ１２の各切替端子に接続され、ＡＮＤ回路４０およびＡＮＤ回路４１の出力端子がＨ／Ｌになるのに連動してスイッチＳ１１およびスイッチＳ１２がそれぞれオン／オフするようになっている。
【００５５】
以上のように構成された映像システム１について、その動作を説明する。
【００５６】
まず、車両のイグニッション電源やアクセサリー電源が投入されると、電力供給部によって映像信号処理装置４の各部に電力が供給され、映像信号処理装置４の各部が作動する。
【００５７】
車両のバックギアが入っていない状態等のように運転手が後方の映像を必要としない場合には、映像受信機３から入力された映像信号が映像選択スイッチ１６によって選択される。映像受信機３によって受信された映像信号は、映像信号処理装置４に送信され、映像信号処理装置４では、受信された映像信号が、第２の映像信号バッファ１５および映像選択スイッチ１６を介してビデオアンプ１７に入力される。
【００５８】
一方、車両のバックギアが入っている状態等のように運転手が後方の映像を必要とする場合には、電力供給部によってカメラ２に電力が供給され、カメラ２が作動すると共に、画像処理装置１４によって画像処理された映像信号が映像選択スイッチ１６によって選択される。
【００５９】
カメラ２によって撮影された映像信号は、映像信号処理装置４に入力され、映像信号処理装置４では、カメラ２から入力された映像信号が、第１の映像信号バッファ１２を介して画像処理装置１４に入力され、画像処理装置１４によって画像処理が施される。画像処理装置１４によって画像処理が施された映像信号は、映像選択スイッチ１６を介してビデオアンプ１７に入力される。
【００６０】
このようにビデオアンプ１７に入力された映像信号は、ビデオアンプ１７によって増幅され、表示装置５に出力され、表示装置５によって映像出力される。
【００６１】
次に、映像受信機３および映像信号処理装置４の整合回路１１の動作について図２を参照して詳細に説明する。なお、以下の説明においては、一例として、抵抗Ｒ１の抵抗値を７５Ωとし、抵抗Ｒ２の抵抗値を３３０Ωとし、抵抗Ｒ１１の抵抗値を７５Ωとし、抵抗Ｒ１２の抵抗値を１２０Ωとし、抵抗Ｒ２に印加された電圧ＶＣＣを３．３Ｖとし、ダイオードＤ１によって降圧される電圧値Ｖｄを０．６Ｖとする。
【００６２】
映像信号の伝送経路が正常状態で、映像受信機３から送信された映像信号が映像選択スイッチ１６によって選択されている場合、すなわち、映像信号処理装置４が映像受信機３から送信された映像信号を受信する状態にある場合には、ＣＰＵ１０は、ＡＮＤ回路４１の第１入力端子をＬにし、トランジスタＴ１は、ＡＮＤ回路４０の第１入力端子をＨにする。
【００６３】
これにより、伝送経路の直流成分のレベルは、抵抗Ｒ２に印加された電圧ＶＣＣからダイオードＤ１によって降圧された電圧を抵抗Ｒ２、抵抗Ｒ１および抵抗Ｒ１１で分圧したもののうち、抵抗Ｒ１および抵抗Ｒ１１にかかる電圧の値になり、（ＶＣＣ−Ｖｄ）×（Ｒ１＋Ｒ１１）÷（Ｒ２＋Ｒ１＋Ｒ１１）≒０．８Ｖとなる。
【００６４】
したがって、映像信号の伝送経路が正常状態で、映像信号処理装置４が映像受信機３によって送信された映像信号を受信している場合には、ＣＰＵ３１において約０．８Ｖの電圧値が検出される。
【００６５】
映像信号の伝送経路が正常状態で、カメラ２によって撮影されて画像処理装置１４によって画像処理が施された映像信号が映像選択スイッチ１６によって選択されている場合、すなわち、映像信号処理装置４が映像受信機３から送信された映像信号を受信する状態にない場合には、ＣＰＵ１０は、ＡＮＤ回路４１の第１入力端子をＨにし、トランジスタＴ１は、ＡＮＤ回路４０の第１入力端子をＬにする。
【００６６】
これにより、伝送経路の直流成分のレベルは、抵抗Ｒ２に印加された電圧ＶＣＣからダイオードＤ１によって降圧された電圧を抵抗Ｒ２、抵抗Ｒ１および抵抗Ｒ１２で分圧したもののうち、抵抗Ｒ１および抵抗Ｒ１２にかかる電圧の値になり、（ＶＣＣ−Ｖｄ）×（Ｒ１＋Ｒ１２）÷（Ｒ２＋Ｒ１＋Ｒ１２）≒１．０Ｖとなる。
【００６７】
したがって、映像信号の伝送経路が正常状態で、映像信号処理装置４が映像受信機３によって送信された映像信号を受信していない場合には、ＣＰＵ３１において約１．０Ｖの電圧値が検出される。
【００６８】
映像信号の伝送経路が開放状態の場合には、ダイオードＤ１および抵抗Ｒ２よりなるプルアップ回路によって映像信号の出力経路がプルアップされるため、プルアップ回路によってプルアップされた電圧値ＶＣＣ−Ｖｄ＝２．７ＶがＣＰＵ３１において検出される。
【００６９】
映像信号の伝送経路が天絡状態の場合には、ＣＰＵ３１においてツェナーダイオードＺＤのツェナー電圧値、本実施の形態において３．３Ｖの電圧値が検出される。
【００７０】
映像信号の伝送経路が地絡状態の場合には、ＣＰＵ３１においてグランドレベル、すなわち０Ｖが検出される。
【００７１】
したがって、本実施の形態において、ＣＰＵ３１は、検出した電圧値が３．０Ｖ以上の場合には、映像信号の伝送経路が天絡状態にあると判断し、検出した電圧値が３．０Ｖ未満かつ１．９Ｖ以上の場合には、映像信号の伝送経路が開放状態にあると判断し、検出した電圧値が１．９Ｖ未満かつ０．９Ｖ以上の場合には、映像信号の伝送経路が正常状態にあり、映像信号処理装置４が映像受信機３によって送信された映像信号を受信していないと判断し、検出した電圧値が０．９Ｖ未満かつ０．４Ｖ以上の場合には、映像信号の伝送経路が正常状態にあり、映像信号処理装置４が映像受信機３によって送信された映像信号を受信していると判断し、検出した電圧値が０．４Ｖ未満の場合には、映像信号の伝送経路が地絡状態にあると判断する。
【００７２】
このような本発明の一実施の形態の映像システム１は、ＣＰＵ３１によって検出される電圧値に基づいて、映像信号の伝送経路が正常状態、開放状態、天絡状態および地絡状態の何れの状態にあるかを判断するため、映像信号の伝送経路の異常の原因を把握することができる。
【００７３】
なお、ＣＰＵ３１に入力される信号の交流成分を除去するよう、映像受信機３は、ＣＰＵ３１の入力側に低域通過フィルタ（Ｌow Pass Filter）を有するようにしてもよい。
【００７４】
また、スイッチＳ１１、Ｓ１２は、トランジスタまたはＦＥＴ（Field-Effect Transistor）を用いて構成してもよい。
【産業上の利用可能性】
【００７５】
以上のように、本発明にかかる映像システムは、映像信号の伝送経路の異常の原因を把握することができるという効果を有し、例えば、取得した映像信号を表示装置に表示させる映像システム等として有用である。
【図面の簡単な説明】
【００７６】
【図１】本発明の一実施の形態における映像システムのブロック図
【図２】本発明の一実施の形態における映像システムを構成する映像受信機および映像信号処理装置の整合回路のブロック図
【符号の説明】
【００７７】
１  映像システム
２  カメラ
３  映像受信機
４  映像信号処理装置
５  表示装置
１０、３１  ＣＰＵ
１１  整合回路
１２  第１の映像信号バッファ
１３  同期分離回路
１４  画像処理装置
１５  第２の映像信号バッファ
１６  映像選択スイッチ
１７  ビデオアンプ
１８  ＤＲＡＭ
１９  フラッシュメモリ
２０  ダイアグメモリ
３０  映像信号取得部
４０、４１  ＡＮＤ回路
Ｒ１、Ｒ２、Ｒ１１、Ｒ１２、Ｒ１３、Ｒ１４、Ｒ１５  抵抗
Ｃ１  コンデンサ
Ｄ１  ダイオード
ＺＤ  ツェナーダイオード
Ｔ１、Ｔ２  トランジスタ
Ｓ１、Ｓ１１、Ｓ１２  スイッチ
【図１】
2006324997.tif 000003
【図２】
2006324997.tif 000004